(57)【要約】【課題】薄明視環境において視認性が高まる発光装置等を提供する。【解決手段】発光装置１００は、４３０ｎｍ以上４８０ｎｍ以下に発光のピーク波長を有する光を放射する固体発光素子１１３と、半値幅が１００ｎｍ以上１２０ｎｍ以下であり、且つ、発光のピーク波長が５３５ｎｍ以上５６５ｎｍ以下である黄緑色蛍光体１１７ａ、及び、ＫＳＦ蛍光体２１７ｂを少なくとも含み、固体発光素子１１３からの光で励起されて光を放射する蛍光部材１１６と、を備え、固体発光素子１１３が放射する光と蛍光部材１１６が放射する光との合成光を放射し、合成光のスペクトルにおいて、波長５８０ｎｍの光強度に対する波長４８０ｎｍの光強度の比が、６５％以上８０％以下であり、合成光の相関色温度が４６００Ｋ以上５５００Ｋ以下であり、合成光の平均演色評価数が８０以上である。【選択図】図２
2020136121.tif 000002
【特許請求の範囲】
【請求項１】
４３０ｎｍ以上４８０ｎｍ以下に発光のピーク波長を有する光を放射する固体発光素子と、
半値幅が１００ｎｍ以上１２０ｎｍ以下であり、且つ、発光のピーク波長が５３５ｎｍ以上５６５ｎｍ以下である黄緑色蛍光体、及び、ＫＳＦ蛍光体を少なくとも含み、前記固体発光素子からの光で励起されて光を放射する蛍光部材と、を備え、
前記固体発光素子が放射する光と前記蛍光部材が放射する光との合成光を放射し、
前記合成光のスペクトルにおいて、波長５８０ｎｍの光強度に対する波長４８０ｎｍの光強度の比が、６５％以上８０％以下であり、
前記合成光の相関色温度が４６００Ｋ以上５５００Ｋ以下であり、
前記合成光の平均演色評価数が８０以上である
発光装置。
【請求項２】
４３０ｎｍ以上４８０ｎｍ以下に発光のピーク波長を有する光を放射する固体発光素子と、
半値幅が１００ｎｍ以上１４０ｎｍ以下であり、発光のピーク波長が５５０ｎｍ以上５８０ｎｍ以下である黄緑色蛍光体及びＫＳＦ蛍光体を少なくとも含み、前記固体発光素子からの光で励起されて異なる波長の光を放射する蛍光部材と、を備え、
前記固体発光素子が放射する光と前記蛍光部材が放射する光との合成光を放射し、
前記合成光のスペクトルにおいて、波長５９０ｎｍの光強度に対する波長４８０ｎｍの光強度の比が、３０％以上５０％以下であり、
前記合成光の相関色温度が２６００Ｋ以上３２５０Ｋ以下であり、
前記合成光の平均演色評価数が８０以上である
発光装置。
【請求項３】
前記黄緑色蛍光体は、Ｃｅ賦活のガーネット構造を有する蛍光体を含む
請求項１又は２に記載の発光装置。
【請求項４】
前記黄緑色蛍光体は、Ｃｅ賦活のガーネット構造を有する蛍光体と、Ｅｕ賦活窒化物蛍光体又はＥｕ賦活酸窒化物蛍光体とを含む
請求項２に記載の発光装置。
【請求項５】
地面からの高さが２ｍ以上１５ｍ以下に配置され、前記地面に前記合成光を照射し、請求項１から４のいずれか１項に記載の発光装置を有する発光部を備え、
前記合成光が照射される前記地面上の照射面における平均水平面照度が５ｌｘ以上３０ｌｘ以下である
屋外用照明装置。
【請求項６】
構造物に設置される非常用照明装置であって、
前記構造物の床面からの高さが２ｍ以上の範囲に配置され、請求項１から４のいずれか１項に記載の発光装置を有する発光部を備える
非常用照明装置。
【発明の詳細な説明】
【技術分野】
【０００１】
本発明は、発光装置、屋外用照明装置及び非常用照明装置、特に、薄明視環境で使用される発光装置、屋外用照明装置及び非常用照明装置に関する。
【背景技術】
【０００２】
ＬＥＤ（Ｌｉｇｈｔ  Ｅｍｉｔｔｉｎｇ  Ｄｉｏｄｅ）を光源とした発光装置は、ＬＥＤの高出力化によって益々普及している。街路空間等で使用されるＬＥＤを用いた照明装置は、照度を確保するために発光効率を優先して設計されていた。近年、ＬＥＤの高出力化に伴い、発光装置は、照明空間に存在する物体の色を自然な色に見せる、すなわち、演色性が高い白色光を出射することを要求されるようになってきている。このような高い演色性を実現する発光装置では、ＬＥＤと、複数種の蛍光体とを組み合わせて白色光を得る方式が主流となっているが、この場合、発光効率が低下し、発光効率と演色性とを両立することが難しいという課題がある。
【０００３】
発光効率と演色性とを両立することが難しいという課題に対して、発光装置に用いる複数種の蛍光体のうち、赤色蛍光体として、ＫＳＦ蛍光体等が含まれるＭｎ賦活フッ化物錯体蛍光体を組合せることが提案されている（特許文献１）。ＫＳＦ蛍光体は、輝線状の発光特性を示すことから、視感度の低い長波長領域での発光が少ないため、高い発光効率と高い演色性とを両立する光源を実現することができる。
【先行技術文献】
【特許文献】
【０００４】
【特許文献１】特許第５８４０５４０号公報
【発明の概要】
【発明が解決しようとする課題】
【０００５】
ところで、夜間の街路空間等は薄明視環境であり、そのような薄明視環境においては、明るい環境下である明所視環境とは異なる視細胞が刺激される。具体的には、薄明視環境においては、人が明るく知覚する分光視感効率のピーク値が５５５ｎｍであり、明所視環境で主に刺激される錐体細胞が刺激されるのに加えて、人が明るく知覚する分光視感効率のピーク値が５０７ｎｍである桿体細胞も刺激される。そのため、薄明視環境において視認性を高めるためには、明所視環境とは異なった照明設計が要求される。
【０００６】
本発明は、上記事由に鑑みてなされたものであり、薄明視環境において視認性が高まる発光装置等を提供することを目的とする。
【課題を解決するための手段】
【０００７】
上記目的を達成するために、本発明の一態様に係る発光装置は、４３０ｎｍ以上４８０ｎｍ以下に発光のピーク波長を有する光を放射する固体発光素子と、半値幅が１００ｎｍ以上１２０ｎｍ以下であり、且つ、発光のピーク波長が５３５ｎｍ以上５６５ｎｍ以下である黄緑色蛍光体、及び、ＫＳＦ蛍光体を少なくとも含み、前記固体発光素子からの光で励起されて光を放射する蛍光部材と、を備え、前記固体発光素子が放射する光と前記蛍光部材が放射する光との合成光を放射し、前記合成光のスペクトルにおいて、波長５８０ｎｍの光強度に対する波長４８０ｎｍの光強度の比が、６５％以上８０％以下であり、前記合成光の相関色温度が４６００Ｋ以上５５００Ｋ以下であり、前記合成光の平均演色評価数が８０以上である。
【０００８】
また、本発明の一態様に係る発光装置は、４３０ｎｍ以上４８０ｎｍ以下に発光のピーク波長を有する光を放射する固体発光素子と、半値幅が１００ｎｍ以上１４０ｎｍ以下であり、発光のピーク波長が５５０ｎｍ以上５８０ｎｍ以下である黄緑色蛍光体及びＫＳＦ蛍光体を少なくとも含み、前記固体発光素子からの光で励起されて異なる波長の光を放射する蛍光部材と、を備え、前記固体発光素子が放射する光と前記蛍光部材が放射する光との合成光を放射し、前記合成光のスペクトルにおいて、波長５９０ｎｍの光強度に対する波長４８０ｎｍの光強度の比が、３０％以上５０％以下であり、前記合成光の相関色温度が２６００Ｋ以上３２５０Ｋ以下であり、前記合成光の平均演色評価数が８０以上である。
【０００９】
また、本発明の一態様に係る屋外用照明装置は、地面からの高さが２ｍ以上１５ｍ以下に配置され、前記地面に前記合成光を照射し、上記発光装置を有する発光部を備え、前記合成光が照射される前記地面上の照射面における平均水平面照度が５ｌｘ以上３０ｌｘ以下である。
【００１０】
また、本発明の一態様に係る非常用照明装置は、構造物に設置される非常用照明装置であって、前記構造物の床面からの高さが２ｍ以上の範囲に配置され、上記発光装置を有する発光部を備える。
【発明の効果】
【００１１】
本発明に係る発光装置等によれば、薄明視環境において視認性が高まる。
【図面の簡単な説明】
【００１２】
【図１】図１は、実施の形態１に係る白色光源の外観斜視図である。
【図２】図２は、図１のII−II線における白色光源の模式断面図である。
【図３】図３は、実施の形態１に係る白色光源が放射する白色光のスペクトルの一例を示す図である。
【図４】図４は、比較例１における白色光源が放射する白色光のスペクトルを示す図である。
【図５】図５は、実施例１における白色光源が放射する白色光のスペクトルを示す図である。
【図６】図６は、実施例２における白色光源が放射する白色光のスペクトルを示す図である。
【図７】図７は、実施例３における白色光源が放射する白色光のスペクトルを示す図である。
【図８】図８は、比較例２における白色光源が放射する白色光のスペクトルを示す図である。
【図９】図９は、比較例３における白色光源が放射する白色光のスペクトルを示す図である。
【図１０】図１０は、実施の形態１の変形例に係る白色光源の外観斜視図である。
【図１１】図１１は、図１０のXI−XI線における白色光源の模式断面図である。
【図１２】図１２は、実施の形態１の変形例に係る白色光源が放射する白色光のスペクトルの一例を示す図である。
【図１３】図１３は、比較例４における白色光源が放射する白色光のスペクトルを示す図である。
【図１４】図１４は、実施例４における白色光源が放射する白色光のスペクトルを示す図である。
【図１５】図１５は、実施例５における白色光源が放射する白色光のスペクトルを示す図である。
【図１６】図１６は、実施例６における白色光源が放射する白色光のスペクトルを示す図である。
【図１７】図１７は、比較例５における白色光源が放射する白色光のスペクトルを示す図である。
【図１８】図１８は、実施の形態２に係る屋外用照明装置の外観図である。
【図１９】図１９は、実施の形態３に係る非常用照明装置の外観図である。
【発明を実施するための形態】
【００１３】
以下、実施の形態について、図面を参照しながら具体的に説明する。なお、以下で説明する実施の形態は、いずれも包括的又は具体的な例を示すものである。以下の実施の形態で示される数値、形状、材料、構成要素、構成要素の配置位置及び接続形態等は、一例であり、本発明を限定する主旨ではない。また、以下の実施の形態における構成要素のうち、最上位概念を示す独立請求項に記載されていない構成要素については、任意の構成要素として説明される。また、本発明を示すために適宜強調、省略、又は比率の調整を行った模式図であり、必ずしも厳密に図示されたものではなく、実際の形状、位置関係、及び比率とは異なる場合がある。
【００１４】
（実施の形態１）
［構成］
まず、実施の形態１に係る発光装置の構成について説明する。
【００１５】
図１は、実施の形態１に係る白色光源１００の外観斜視図である。図２は、図１のII−II線における白色光源１００の模式断面図である。なお、本明細書において、白色光源１００は、発光装置の一例である。
【００１６】
図１及び図２に示されるように、実施の形態１に係る白色光源１００は、ＳＭＤ（Ｓｕｒｆａｃｅ  Ｍｏｕｎｔ  Ｄｅｖｉｃｅ）型の発光デバイスとして実現される。白色光源１００は、後述するように、薄明視環境において、明るく知覚される白色光を放射することができる。このため、白色光源１００は、夜間等の周囲が暗い環境下において使用される屋外用照明装置に適している。
【００１７】
なお、白色光源１００は、リモートフォスファー型の発光デバイスであってもよい。また、白色光源１００は、ＣＯＢ（Ｃｈｉｐ  Ｏｎ  Ｂｏａｒｄ）型の発光デバイスであってもよい。
【００１８】
白色光源１００は、凹部を有する容器１１１と、凹部内に封入された封止部材１１２と、凹部の中に実装された固体発光素子１１３と、封止部材１１２中に分散して存在する蛍光部材１１６とを備える。図１及び図２においては、白色光源１００は、直方体形状であるが、これに限られず、円柱状、半球状等、他の形状であってもよい。
【００１９】
容器１１１は、固体発光素子１１３と、封止部材１１２とを収容する容器である。また、容器１１１は、固体発光素子１１３に電力を供給するための金属配線である電極１１４を備える。固体発光素子１１３と電極１１４とは、ボンディングワイヤ１１５によって電気的に接続される。容器１１１の材料は、例えば、金属、セラミック又は樹脂である。
【００２０】
セラミックとしては、酸化アルミニウム（アルミナ）又は窒化アルミニウム等が採用される。また、金属としては、例えば、表面に絶縁膜が形成された、アルミニウム合金、鉄合金又は銅合金等が採用される。樹脂としては、例えば、ガラス繊維とエポキシ樹脂とからなるガラスエポキシ等が用いられる。なお、容器１１１の材料は、上記材料が組み合わされて用いられてもよい。
【００２１】
封止部材１１２は、固体発光素子１１３、ボンディングワイヤ１１５、及び電極１１４の少なくとも一部を封止し、中に蛍光部材１１６が分散した透光性樹脂材料である。透光性樹脂材料としては、特に限定されないが、例えば、シリコーン樹脂、エポキシ樹脂又はユリア樹脂等が用いられる。
【００２２】
固体発光素子１１３は、４３０ｎｍ以上４８０ｎｍ以下に発光のピーク波長を有する発光素子である。固体発光素子１１３の発光のピーク波長は、４４０ｎｍ以上４６０ｎｍ以下であってもよい。固体発光素子１１３の発光のピーク波長を４３０ｎｍ以上とすることで、蛍光部材１１６の発光効率が高くなりやすいため、白色光源１００の発光効率が高くなりやすい。固体発光素子１１３の発光のピーク波長を４８０ｎｍ以下とすることで、固体発光素子１１３の発光効率が高くなりやすいため、白色光源１００の発光効率が高くなりやすい。固体発光素子１１３としては、例えば、青色光を放射する青色ＬＥＤが用いられる。具体的な青色ＬＥＤとしては、例えば、インジウム・ガリウム・ナイトライド系の材料によって構成された窒化ガリウム系のＬＥＤが用いられる。
【００２３】
蛍光部材１１６は、黄緑色蛍光体１１７ａ及びＫＳＦ蛍光体１１７ｂを含み、固体発光素子１１３から発せられる光の一部で励起されて光を放射する。
【００２４】
黄緑色蛍光体１１７ａは、固体発光素子１１３から発せられる光の一部で励起され、半値幅が１００ｎｍ以上１２０ｎｍ以下であり、発光のピーク波長が５３５ｎｍ以上５６５ｎｍ以下である黄緑色光を放射する蛍光体である。半値幅を１００ｎｍ以上にすることで、白色光源１００が放射する光の演色性が向上する。半値幅を１２０ｎｍ以下にすることで白色光源１００の発光効率が向上する。黄緑色蛍光体１１７ａとしては、１種類の黄緑色蛍光体を用いてもよく、青緑色から黄色の波長を放射する複数種の蛍光体を組み合わせて用いてもよい。具体的には、黄緑色蛍光体１１７ａとしては、（Ｙ，Ｌｕ）３（Ａｌ，Ｇａ）５Ｏ１２：Ｃｅ、（Ｙ，Ｇｄ）３（Ａｌ，Ｇａ）５Ｏ１２：Ｃｅ、ＣａＳｃ２Ｏ４：Ｃｅ、Ｃａ３Ｓｃ２Ｓｉ３Ｏ１２：Ｃｅ、（Ｌａ，Ｙ）３Ｓｉ６Ｎ１１：Ｃｅ、（Ｓｒ，Ｃａ，Ｂａ）２ＳｉＯ４：Ｅｕ、（Ｓｒ，Ｃａ，Ｂａ）３ＳｉＯ５：Ｅｕ、βサイアロン蛍光体等が挙げられる。これらの中でも、黄緑色蛍光体１１７ａは、（Ｙ，Ｌｕ）３（Ａｌ，Ｇａ）５Ｏ１２：Ｃｅ、（Ｙ，Ｇｄ）３（Ａｌ，Ｇａ）５Ｏ１２：Ｃｅ等のＣｅ賦活のガーネット構造を有する蛍光体を含んでいるとよい。黄緑色蛍光体１１７ａがＣｅ賦活のガーネット構造を有する蛍光体を含むことにより、発光効率の高い白色光源１００が得られやすく、白色光源１００を照明装置に用いた場合には、当該照明装置の発光効率も高くなる。
【００２５】
ＫＳＦ蛍光体１１７ｂは、固体発光素子１１３から発せられる光の一部で励起されて赤色光を放射する。ＫＳＦ蛍光体１１７ｂは、一般式（Ｍ１）２（（Ｍ２）１−ｘＭｎｘ）Ｆ６で表される赤色蛍光体である。Ｍ１は、Ｌｉ、Ｎａ、Ｋ、Ｒｂ、Ｃｓのうちの少なくとも１つのアルカリ金属元素であり、Ｍ２は、Ｇｅ、Ｓｉ、Ｓｎ、Ｔｉ、Ｚｒのうちの少なくとも１つの４価の金属元素であり、ｘは、０．００＜ｘ≦０．５を満たす。ＫＳＦ蛍光体１１７ｂの代表的な組成式としては、Ｋ２（Ｓｉ，Ｍｎ）Ｆ６である。ＫＳＦ蛍光体１１７ｂは、発光スペクトルにおいて、発光波長が６２５ｎｍ以上６３５ｎｍ以下の輝線状の赤色発光ピークを有する。
【００２６】
蛍光部材１１６の赤色蛍光体としては、ＫＳＦ蛍光体１１７ｂが単独で用いられてもよく、ＫＳＦ蛍光体１１７ｂと他の赤色蛍光体（Ｅｕ賦活窒化物蛍光体、Ｅｕ賦活酸窒化物蛍光体等）とを組み合わせた蛍光体が用いられてもよい。
【００２７】
蛍光部材１１６に含まれる黄緑色蛍光体１１７ａとＫＳＦ蛍光体１１７ｂとの配合比率及び配合量は、白色光源１００が放射する白色光が後述するスペクトル、相関色温度及び平均演色評価数となるように調整される。
【００２８】
［動作］
次に、実施の形態１に係る白色光源１００の動作について説明する。
【００２９】
白色光源１００は、電力が供給されると、固体発光素子１１３が青色光を放射する。固体発光素子１１３が放射した青色光の一部は、黄緑色蛍光体１１７ａによって吸収されて黄緑色光に波長変換される。同様に、固体発光素子１１３が発した青色光の他の一部は、ＫＳＦ蛍光体１１７ｂによって吸収されて赤色光に波長変換される。そして、黄緑色蛍光体１１７ａ及びＫＳＦ蛍光体１１７ｂに吸収されなかった青色光と、黄緑色蛍光体１１７ａが放射する黄緑色光と、ＫＳＦ蛍光体１１７ｂが放射する赤色光とは、封止部材１１２中で拡散及び混合され、合成光である白色光が発せられる。つまり、白色光源１００は、固体発光素子１１３が放射する光と、黄緑色蛍光体１１７ａ及びＫＳＦ蛍光体１１７ｂを含む蛍光部材１１６が放射する光との合成光である白色光を放射する。このような構成によって目的の色度の白色光にすることで、それぞれの光の出力比が一定となるため、色度のずれの小さい白色光を得ることができる。白色光の色偏差は、−１０以上＋２以下の範囲であることが好ましく、更に好ましくは、−７以上＋０以下の範囲である。白色光の色偏差が当該範囲となることで、自然な白色でありながら、照明空間内にある被照射物をより目立たせることができる。また、白色光の相関色温度が４６００Ｋ以上５５００Ｋ以下であり、白色光の平均演色評価数が８０以上である。これにより、演色性の高い昼白色の白色光を出射する白色光源１００となる。
【００３０】
図３は、白色光源１００が放射する白色光のスペクトルの一例を示す図である。図３に示されるように、白色光源１００は、白色光のスペクトルにおいて、波長５８０ｎｍの光強度Ｘｂに対する波長４８０ｎｍの光強度Ｘａの比（Ｘａ／Ｘｂ）が、６５％以上８０％以下である。Ｘａ／Ｘｂは、６５％以上７５％以下であってもよい。Ｘａ／Ｘｂを６５％以上とすることで、白色光が、桿体細胞を刺激しやすい青から青緑色の波長の光を多く含むため、薄明視環境での視認性が高まる。さらに、鮮やかに見せる効果が向上するため、被照射物が有色物体であれば、有色物体が目立ちやすくなるため、有色物体の存在に気づきやすくなる。また、Ｘａ／Ｘｂを８０％以下とすることで、同じ量の投入電流でも照度が高くなり、薄明視環境での視認性が向上する。このため、Ｘａ／Ｘｂを当該範囲にすることで、薄明視環境において、被照射物を目立たせる効果と照度とを両立できる。また、白色光のスペクトルは、ＫＳＦ蛍光体１１７ｂに由来する輝線状の赤色発光ピークを有しており、演色性が向上し、より有色物体の視認性が高まる。よって、白色光源１００を用いた照明装置は、発光効率が高く、夜間の街路空間等の薄明視環境においても、照明空間内にある被照射物の色見えも良好であり、視認性が高まる。そのため、白色光源１００は、薄明視環境用発光装置であるとよい。なお、本明細書において、薄明視とは、順応輝度が、０．００５ｃｄ／ｍ２以上５ｃｄ／ｍ２以下の範囲の明るさのことである。
【００３１】
［実施例及び比較例］
以下に、実施の形態１に係る白色光源の実施例及び比較例について説明する。以下の実施例１〜３及び比較例１〜３では、同じ量の投入電流で白色光源を発光させ、評価を実施した。また、それぞれの実施例１〜３及び比較例１〜３における白色光源は、固体発光素子と、黄緑色蛍光体及びＫＳＦ蛍光体から構成される蛍光部材とを備えている白色光源である。
【００３２】
＜薄明視環境での視認性＞
実施例及び比較例における薄明視環境での視認性は、有色物体を配置した暗室において、基準光源として比較例１における白色光源を照射した環境に対して、各実施例又は比較例における白色光源を照射した環境での見え方を以下の基準で評価した。なお、実施例１〜３及び比較例１〜３では、薄明視環境となるように白色光源を発光させた。
【００３３】
良好：基準光源よりも周辺が明るく見え、有色物体を見つけやすい。
【００３４】
同等：基準光源と同等の明るさで周辺が見え、有色物体の見つけやすさも同等である。
【００３５】
不良：基準光源よりも周辺が暗く見え、有色物体が見つけにくい。
【００３６】
＜評価項目＞
上記の薄明視環境での視認性に加えて、それぞれの実施例又は比較例における白色光源が放射する白色光の、ＣＩＥ  ｘｙ色度図における色度ｘ及び色度ｙ、平均演色評価数、Ｘａ／Ｘｂ、光束についても評価した。
【００３７】
＜比較例１＞
まず、比較例１における白色光源について説明する。比較例１において、固体発光素子は、４５０ｎｍに発光のピークを有するＬＥＤであり、黄緑色蛍光体は、５５０ｎｍに発光のピーク波長を有し、半値幅が１１０ｎｍのであるＣｅ賦活のガーネット構造を有する蛍光体である。
【００３８】
図４は、比較例１における白色光源が放射する白色光のスペクトルを示す図である。図４に示されるスペクトルは、黄緑色蛍光体とＫＳＦ蛍光体との配合比率及び配合量を調整することで実現される。ＣＩＥ  ｘｙ色度図における色度ｘ及び色度ｙ、平均演色評価数、Ｘａ／Ｘｂ並びに光束について、比較例１における白色光源の評価結果を表１に示す。比較例１における白色光源は、明所視環境での演色性及び発光効率が高くなるように設計されている。表１に示されるように、比較例１における白色光源のＸａ／Ｘｂは、２４％である。
【００３９】
＜実施例１＞
次に、実施例１における白色光源について説明する。実施例１において、固体発光素子は、４５０ｎｍに発光のピークを有するＬＥＤであり、黄緑色蛍光体は、５４０ｎｍに発光のピーク波長を有し、半値幅が１１０ｎｍであるＣｅ賦活のガーネット構造を有する蛍光体である。
【００４０】
図５は、実施例１における白色光源が放射する白色光のスペクトルを示す図である。図５に示されるスペクトルは、黄緑色蛍光体とＫＳＦ蛍光体との配合比率及び配合量を調整することで実現される。ＣＩＥ  ｘｙ色度図における色度ｘ及び色度ｙ、平均演色評価数、Ｘａ／Ｘｂ、光束並びに薄明視環境での視認性について、実施例１における白色光源の評価結果を表１に示す。また、比較例１における白色光源に対して、実施例１における白色光源は、Ｓ／Ｐ比が２０％増加し、ＦＣＩ（Ｆｅｅｌｉｎｇ  ｏｆ  Ｃｏｎｔｒａｓｔ  Ｉｎｄｅｘ）も１５％増加している。Ｓ／Ｐ比とは、暗所視における光束と明所視における光束との比率であり、Ｓ／Ｐ比が高いほど薄明視環境における視認性が高くなる、光の視認性を評価する数値である。Ｓ／Ｐ比が高いほど、薄明視環境において周辺が明るく見えやすい傾向がある。ＦＣＩとは、色彩の鮮やかさを示す指数であり、ＦＣＩが高いほど、被照射物を鮮やかに目立たせることができる目立ち度の指標である。具体的には、ＦＣＩは、色の見えによる標準光Ｄ６５に対して感じられる明るさ感の比率を示している。ＦＣＩが高いほど、有色物体の目立ち度が高まりその存在を見つけやすくなる傾向がある。
【００４１】
表１に示されるように、実施例１における白色光源のＸａ／Ｘｂは６５％であり、薄明視環境での視認性の評価結果が良好である。比較例１における白色光源と比べると、実施例１における白色光源は、光束が１０ｌｍ下がっているものの、Ｓ／Ｐ比及びＦＣＩが増加しているため、薄明視環境での視認性が高まっている。
【００４２】
＜実施例２＞
次に、実施例２における白色光源について説明する。実施例２における白色光源は、基本的な構成は実施例１と同じ構成であるが、黄緑色蛍光体とＫＳＦ蛍光体との配合比率及び配合量が異なる。
【００４３】
図６は、実施例２における白色光源が放射する白色光のスペクトルを示す図である。図６に示されるスペクトルは、黄緑色蛍光体とＫＳＦ蛍光体との配合比率及び配合量を調整することで実現される。ＣＩＥ  ｘｙ色度図における色度ｘ及び色度ｙ、平均演色評価数、Ｘａ／Ｘｂ、光束並びに薄明視環境での視認性について、実施例２における白色光源の評価結果を表１に示す。また、比較例１における白色光源に対して、実施例２における白色光源は、Ｓ／Ｐ比が２０％増加し、ＦＣＩも１５％増加している。
【００４４】
表１に示されるように、実施例２における白色光源のＸａ／Ｘｂは、６６％であり、薄明視環境での視認性の評価結果が良好である。比較例１における白色光源と比べると、実施例２における白色光源は、光束が１５ｌｍ下がっているものの、Ｓ／Ｐ比及びＦＣＩが増加しているため、薄明視環境での視認性の評価結果が高まっている。
【００４５】
＜実施例３＞
次に、実施例３における白色光源について説明する。実施例３における白色光源は、基本的な構成は実施例１と同じ構成であるが、黄緑色蛍光体とＫＳＦ蛍光体との配合比率及び配合量が異なる。
【００４６】
図７は、実施例３における白色光源が放射する白色光のスペクトルを示す図である。図７に示されるスペクトルは、黄緑色蛍光体とＫＳＦ蛍光体との配合比率及び配合量を調整することで実現される。ＣＩＥ  ｘｙ色度図における色度ｘ及び色度ｙ、平均演色評価数、Ｘａ／Ｘｂ、光束並びに薄明視環境での視認性について、実施例３における白色光源の評価結果を表１に示す。また、比較例１における白色光源に対して、実施例３における白色光源は、Ｓ／Ｐ比が２０％増加し、ＦＣＩも２０％増加している。
【００４７】
表１に示されるように、実施例３における白色光源のＸａ／Ｘｂは、７２％であり、薄明視環境での視認性の評価結果が良好である。比較例１における白色光源と比べると、実施例３における白色光源は、光束が１５ｌｍ下がっているものの、Ｓ／Ｐ比及びＦＣＩが増加しているため、薄明視環境での視認性が高まる。
【００４８】
＜比較例２＞
次に、比較例２における白色光源について説明する。比較例２において、固体発光素子は、４５０ｎｍに発光のピークを有するＬＥＤであり、黄緑色蛍光体は、５４０ｎｍに発光のピーク波長を有し、半値幅が１０５ｎｍであるＣｅ賦活のガーネット構造を有する蛍光体である。
【００４９】
図８は、比較例２における白色光源が放射する白色光のスペクトルを示す図である。図８に示されるスペクトルは、黄緑色蛍光体とＫＳＦ蛍光体との配合比率及び配合量を調整することで実現される。ＣＩＥ  ｘｙ色度図における色度ｘ及び色度ｙ、平均演色評価数、Ｘａ／Ｘｂ、光束並びに薄明視環境での視認性について、比較例２における白色光源の評価結果を表１に示す。また、比較例１における白色光源に対して、比較例２における白色光源は、Ｓ／Ｐ比が２０％増加し、ＦＣＩも２０％増加している。
【００５０】
表１に示されるように、比較例２における白色光源のＸａ／Ｘｂは、８２％であり、薄明視環境での視認性の評価結果が不良である。比較例１における白色光源と比べると、比較例２における白色光源は、Ｓ／Ｐ比及びＦＣＩが増加しているものの、光束が２５ｌｍ下がり、白色光の照射面全体が暗くなるため、薄明視環境での視認性が低下する。
【００５１】
＜比較例３＞
次に、比較例３における白色光源について説明する。比較例３において、固体発光素子は、４５０ｎｍに発光のピークを有するＬＥＤであり、黄緑色蛍光体は、５４５ｎｍに発光のピーク波長を有し、半値幅が１１０ｎｍであるＣｅ賦活のガーネット構造を有する蛍光体である。
【００５２】
図９は、比較例３における白色光源が放射する白色光のスペクトルを示す図である。図９に示されるスペクトルは、黄緑色蛍光体とＫＳＦ蛍光体との配合比率及び配合量を調整することで実現される。ＣＩＥ  ｘｙ色度図における色度ｘ及び色度ｙ、平均演色評価数、Ｘａ／Ｘｂ、光束並びに薄明視環境での視認性について、比較例３における白色光源の評価結果を表１に示す。また、比較例１における白色光源に対して、比較例３における白色光源は、Ｓ／Ｐ比が１０％増加している。
【００５３】
表１に示されるように、比較例３における白色光源のＸａ／Ｘｂは、４１％であり、薄明視環境での視認性の評価結果が同等である。比較例１における白色光源と比べると、比較例３における白色光源は、Ｓ／Ｐ比がわずかに増加しているものの、光束が１５ｌｍ下がっているため、薄明視環境での視認性が変わらない。
【００５４】
【表１】
2020136121.tif 000003
【００５５】
＜まとめ＞
以上のように、波長５８０ｎｍの光強度に対する波長４８０ｎｍの光強度の比Ｘａ／Ｘｂが、６５％以上８０％以下の範囲である実施例１〜３における白色光源は、薄明視環境での視認性の評価結果が良好であった。それに対して、比較例２における白色光源ように、Ｘａ／Ｘｂが８０％を超える場合は、薄明視環境での視認性の評価結果が不良であり、比較例３における白色光源ように、Ｘａ／Ｘｂが６５％より低い場合には、薄明視環境での視認性の評価結果は同等であった。また、実施例１〜３における白色光源は、平均演色評価数が８０以上であり、色度ｘ及び色度ｙの結果から、色温度が４６００Ｋ以上５５００Ｋ以下である。
【００５６】
（変形例）
［構成］
次に、実施の形態１の変形例に係る発光装置について説明する。なお、以下の実施の形態１の変形例の説明において、実施の形態１との相違点を中心に説明し、共通点の説明を省略又は簡略化する。
【００５７】
図１０は、実施の形態１の変形例に係る白色光源２００の外観斜視図である。図１１は、図１０のXI−XI線における白色光源２００の模式断面図である。なお、本明細書において、白色光源２００は、発光装置の一例である。
【００５８】
図１０及び図１１に示されるように、白色光源２００は、実施の形態１に係る白色光源１００と比較して、白色光源２００が備える蛍光部材が異なる。具体的には、白色光源２００が発する白色光の相関色温度が、白色光源１００が発する白色光の相関色温度よりも低くなるように、蛍光部材が変更されている。白色光源２００は、凹部を有する容器１１１と、凹部内に封入された封止部材１１２と、凹部の中に実装された固体発光素子１１３と、封止部材１１２中に分散して存在する蛍光部材２１６とを備える。容器１１１は、固体発光素子１１３に電力を供給するための金属配線である電極１１４を備える。固体発光素子１１３と電極１１４とは、ボンディングワイヤ１１５によって電気的に接続される。
【００５９】
蛍光部材２１６は、黄緑色蛍光体２１７ａ及びＫＳＦ蛍光体２１７ｂを含み、固体発光素子１１３から発せられる光の一部で励起されて光を放射する。
【００６０】
黄緑色蛍光体２１７ａは、固体発光素子１１３から発せられる光の一部で励起され、半値幅が１００ｎｍ以上１４０ｎｍ以下であり、発光のピーク波長が５５０ｎｍ以上５８０ｎｍ以下である黄緑色光を放射する蛍光体である。半値幅を１００ｎｍ以上にすることで、白色光源２００が放射する光の演色性が向上する。半値幅を１４０ｎｍ以下にすることで白色光源２００の発光効率が向上する。黄緑色蛍光体２１７ａとしては、１種類の黄緑色蛍光体を用いてもよく、青緑色から赤色の波長を放射する複数種の蛍光体を組み合わせて用いてもよい。具体的には、黄緑色蛍光体２１７ａとしては、（Ｓｒ，Ｃａ，Ｂａ）２Ｍｇ（ＳｉＯ４）４Ｃｌ２：Ｅｕ、（Ｓｒ，Ｃａ，Ｂａ）Ｓｉ２Ｏ２Ｎ２：Ｅｕ、（Ｙ，Ｌｕ）３（Ａｌ，Ｇａ）５Ｏ１２：Ｃｅ、（Ｙ，Ｇｄ）３（Ａｌ，Ｇａ）５Ｏ１２：Ｃｅ、ＣａＳｃ２Ｏ４：Ｃｅ、Ｃａ３Ｓｃ２Ｓｉ３Ｏ１２：Ｃｅ、（Ｌａ，Ｙ）３Ｓｉ６Ｎ１１：Ｃｅ、（Ｓｒ，Ｃａ，Ｂａ）２ＳｉＯ４：Ｅｕ、（Ｓｒ，Ｃａ，Ｂａ）３ＳｉＯ５：Ｅｕ、（Ｓｒ，Ｃａ，Ｂａ）ＡｌＳｉＮ３：Ｅｕ、βサイアロン蛍光体、αサイアロン蛍光体等が挙げられる。これらの中でも、黄緑色蛍光体２１７ａは、（Ｙ，Ｌｕ）３（Ａｌ，Ｇａ）５Ｏ１２：Ｃｅ、（Ｙ，Ｇｄ）３（Ａｌ，Ｇａ）５Ｏ１２：Ｃｅ等のＣｅ賦活のガーネット構造を有する蛍光体を含んでいるとよい。また、黄緑色蛍光体２１７ａは、Ｃｅ賦活のガーネット構造を有する蛍光体と、（Ｓｒ，Ｃａ，Ｂａ）ＡｌＳｉＮ３：Ｅｕ等のＥｕ賦活窒化物蛍光体とを含んでいるとよい。また、黄緑色蛍光体２１７ａは、Ｃｅ賦活のガーネット構造を有する蛍光体と、（Ｓｒ，Ｃａ，Ｂａ）Ｓｉ２Ｏ２Ｎ２等のＥｕ賦活酸窒化物蛍光体とを含んでいるとよい。黄緑色蛍光体２１７ａが、Ｃｅ賦活のガーネット構造を有する蛍光体と、Ｅｕ賦活窒化物蛍光体又はＥｕ賦活酸窒化物蛍光体とを含むことにより、演色性の高い白色光源２００が得られやすい。よって、白色光源２００を照明装置に用いた場合には、色の再現性の良い照明空間を実現しやすく、被照射物の色の誤認を抑制できる。
【００６１】
蛍光部材２１６に含まれる黄緑色蛍光体２１７ａとＫＳＦ蛍光体２１７ｂとの配合比率及び配合量は、白色光源２００が放射する光が後述するスペクトル、相関色温度及び平均演色評価数となるように調整される。
【００６２】
［動作］
次に、実施の形態１の変形例に係る白色光源２００の動作について説明する。
【００６３】
白色光源２００は、固体発光素子１１３が放射する光と、黄緑色蛍光体２１７ａ及びＫＳＦ蛍光体２１７ｂを含む蛍光部材２１６が放射する光との合成光である白色光を放射する。このような構成によって目的の色度の白色光にすることで、それぞれの光の出力比が一定となるため、色度のずれの小さい白色光を得ることができる。白色光の色偏差は、−１０以上＋２以下の範囲であることが好ましく、更に好ましくは、−７以上＋０以下の範囲である。白色光の色偏差が当該範囲となることで、自然な白色でありながら、照明空間内にある被照射物をより目立たせることができる。また、白色光の相関色温度が２６００Ｋ以上３２５０Ｋ以下であり、白色光の平均演色評価数が８０以上である。これにより、演色性の高い電球色の白色光を照射する白色光源２００となる。
【００６４】
図１２は、白色光源２００が放射する白色光のスペクトルの一例を示す図である。図１２に示されるように、白色光源２００は、白色光のスペクトルにおいて、波長５９０ｎｍの光強度Ｘｄに対する波長４８０ｎｍの光強度Ｘｃの比（Ｘｃ／Ｘｄ）が、３０％以上５０％以下である。Ｘｃ／Ｘｄは、３０％以上４５％以下であってもよく、３０％以上４０％以下であってもよい。Ｘｃ／Ｘｄを３０％以上とすることで、白色光が桿体細胞を刺激しやすい青から青緑色の波長の光を多く含むため、薄明視環境での視認性が高まる。さらに、鮮やかに見せる効果が向上するため、被照射物が有色物体であれば、有色物体が目立ちやすくなるため、有色物体の存在に気づきやすくなる。また、Ｘｃ／Ｘｄを５０％以下とすることで、同じ量の投入電流でも照度が高くなり、薄明視環境での視認性が向上する。このため、Ｘｃ／Ｘｄを当該範囲にすることで、薄明視環境において、被照射物を目立たせる効果と照度とを両立できる。また、白色光のスペクトルは、ＫＳＦ蛍光体２１７ｂに由来する輝線状の赤色発光ピークを有しており、演色性が向上し、より有色物体の視認性が高まる。よって、固体発光素子１１３と蛍光部材２１６とを備える白色光源２００を用いた照明装置は、発光効率が高く、夜間の街路空間等の薄明視環境においても、照明空間内にある被照射物の色見えも良好であり、視認性が高まる。そのため、白色光源２００は、薄明視環境用発光装置であるとよい。
【００６５】
［実施例及び比較例］
以下に、実施の形態１の変形例に係る白色光源の実施例及び比較例について説明する。以下の実施例４〜６及び比較例４並びに５では、同じ量の投入電流で白色光源を発光させ、評価を実施した。また、それぞれの実施例４〜６及び比較例４並びに５における白色光源は、固体発光素子と、黄緑色蛍光体及びＫＳＦ蛍光体から構成される蛍光部材とを備えている。
【００６６】
＜薄明視環境での視認性＞
実施例及び比較例における白色光源の薄明視環境での視認性は、有色物体を配置した暗室において、比較例４における白色光源を基準光源として照射した環境に対して、各実施例又は比較例における白色光源を照射した環境での見え方を以下の基準で評価した。なお、実施例１〜３及び比較例１〜３では、薄明視環境となるように白色光源を発光させた。
【００６７】
良好：基準光源よりも周辺が明るく見え、有色物体を見つけやすい。
【００６８】
同等：基準光源と同等の明るさで周辺が見え、有色物体の見つけやすさも同等である。
【００６９】
不良：基準光源よりも周辺が暗く見え、有色物体が見つけにくい。
【００７０】
＜評価項目＞
上記の薄明視環境での視認性に加えて、それぞれの実施例又は比較例における白色光源が放射する白色光の、ＣＩＥ  ｘｙ色度図における色度ｘ及び色度ｙ、平均演色評価数、Ｘｃ／Ｘｄ、光束についても評価した。
【００７１】
＜比較例４＞
まず、比較例４における白色光源について説明する。比較例４において、固体発光素子は、４５０ｎｍに発光のピークを有するＬＥＤであり、黄緑色蛍光体は、５５０ｎｍに発光のピーク波長を有し、半値幅が１１０ｎｍであるＣｅ賦活のガーネット構造を有する蛍光体である。
【００７２】
図１２は、比較例４における白色光源が放射する白色光のスペクトルを示す図である。図１２に示されるスペクトルは、黄緑色蛍光体とＫＳＦ蛍光体との配合比率及び配合量を調整することで実現される。ＣＩＥ  ｘｙ色度図における色度ｘ及び色度ｙ、平均演色評価数、Ｘｃ／Ｘｄ並びに光束について、比較例４における白色光源の評価結果を表２に示す。比較例４における白色光源は、明所視環境での演色性及び発光効率が高くなるように設計されている。表２に示されるように、比較例４における白色光源のＸｃ／Ｘｄは、１５％である。
【００７３】
＜実施例４＞
次に、実施例４における白色光源について説明する。実施例４において、固体発光素子は、４５０ｎｍに発光のピークを有するＬＥＤであり、黄緑色蛍光体は、５４５ｎｍに発光のピーク波長を有し、半値幅が１１０ｎｍであるＣｅ賦活のガーネット構造を有する蛍光体である。
【００７４】
図１３は、実施例４における白色光源が放射する白色光のスペクトルを示す図である。図１３に示されるスペクトルは、黄緑色蛍光体とＫＳＦ蛍光体との配合比率及び配合量を調整することで実現される。ＣＩＥ  ｘｙ色度図における色度ｘ及び色度ｙ、平均演色評価数、Ｘａ／Ｘｂ、光束並びに薄明視環境での視認性について、実施例４における白色光源の評価結果を表２に示す。また、比較例４における白色光源に対して、実施例４における白色光源は、Ｓ／Ｐ比が１５％増加し、ＦＣＩも５％増加している。
【００７５】
表２に示されるように、実施例４における白色光源のＸｃ／Ｘｄは３７％であり、薄明視環境での視認性の評価結果が良好である。比較例４における白色光源と比べると、実施例４における白色光源は、光束が同等であり、Ｓ／Ｐ比及びＦＣＩが増加しているため、薄明視環境での視認性が高まっている。
【００７６】
＜実施例５＞
次に、実施例５における白色光源について説明する。実施例５において、固体発光素子は、４５０ｎｍに発光のピークを有するＬＥＤである。実施例５において、黄緑色蛍光体は、Ｃｅ賦活のガーネット構造を有する蛍光体とＥｕ賦活窒化物蛍光体とを組み合わせて、発光のピーク波長が５６０ｎｍとなり、半値幅が１３５ｎｍとなるように調整した蛍光体である。
【００７７】
図１４は、実施例５における白色光源が放射する白色光のスペクトルを示す図である。図１４に示されるスペクトルは、黄緑色蛍光体とＫＳＦ蛍光体との配合比率及び配合量を調整することで実現される。ＣＩＥ  ｘｙ色度図における色度ｘ及び色度ｙ、平均演色評価数、Ｘａ／Ｘｂ、光束並びに薄明視環境での視認性について、実施例５における白色光源の評価結果を表２に示す。また、比較例４における白色光源に対して、実施例５における白色光源は、Ｓ／Ｐ比が１７％増加し、ＦＣＩも５％増加している。
【００７８】
表２に示されるように、実施例５における白色光源のＸｃ／Ｘｄは３８％であり、薄明視環境での視認性の評価結果が良好である。比較例４における白色光源と比べると、実施例５における白色光源は、光束が１５ｌｍ下がっているものの、Ｓ／Ｐ比及びＦＣＩが増加しているため、薄明視環境での視認性が高まる。
【００７９】
＜実施例６＞
次に、実施例６における白色光源について説明する。実施例６において、固体発光素子は、４５０ｎｍに発光のピークを有するＬＥＤである。実施例６において、黄緑色蛍光体は、Ｃｅ賦活のガーネット構造を有する蛍光体とＥｕ賦活酸窒化物蛍光体とを組み合わせて、発光のピーク波長が５４５ｎｍとなり、半値幅が１２５ｎｍとなるように調整した蛍光体である。
【００８０】
図１５は、実施例６における白色光源が放射する白色光のスペクトルを示す図である。図１５に示されるスペクトルは、黄緑色蛍光体とＫＳＦ蛍光体との配合比率及び配合量を調整することで実現される。ＣＩＥ  ｘｙ色度図における色度ｘ及び色度ｙ、平均演色評価数、Ｘａ／Ｘｂ、光束並びに薄明視環境での視認性について、実施例６における白色光源の評価結果を表２に示す。また、比較例４における白色光源に対して、実施例６における白色光源は、Ｓ／Ｐ比が１７％増加し、ＦＣＩも５％増加している。
【００８１】
表２に示されるように、実施例６における白色光源のＸｃ／Ｘｄは３１％であり、薄明視環境での視認性の評価結果が良好である。比較例４における白色光源と比べると、実施例６における白色光源は、光束が２０ｌｍ下がっているものの、Ｓ／Ｐ比及びＦＣＩが増加しているため、薄明視環境での視認性が高まる。
【００８２】
＜比較例５＞
次に、比較例５における白色光源について説明する。比較例５において、固体発光素子は、４５０ｎｍに発光のピークを有するＬＥＤであり、黄緑色蛍光体は、５４０ｎｍに発光のピーク波長を有し、半値幅が１１０ｎｍであるＣｅ賦活のガーネット構造を有する蛍光体である。
【００８３】
図１６は、比較例５における白色光源が放射する白色光のスペクトルを示す図である。図１６に示されるスペクトルは、黄緑色蛍光体とＫＳＦ蛍光体との配合比率及び配合量を調整することで実現される。ＣＩＥ  ｘｙ色度図における色度ｘ及び色度ｙ、平均演色評価数、Ｘａ／Ｘｂ、光束並びに薄明視環境での視認性について、比較例５における白色光源の評価結果を表２に示す。また、比較例４における白色光源に対して、比較例５における白色光源は、Ｓ／Ｐ比が１５％増加し、ＦＣＩも５％増加している。
【００８４】
表２に示されるように、比較例５における白色光源のＸｃ／Ｘｄは５８％であり、薄明視環境での視認性の評価結果が不良である。比較例４における白色光源と比べると、比較例５における白色光源は、Ｓ／Ｐ比及びＦＣＩが増加しているものの、光束が２５ｌｍ下がり、白色光の照射面全体が暗くなるため、薄明視環境での視認性が低下する。
【００８５】
【表２】
2020136121.tif 000004
【００８６】
＜まとめ＞
以上のように、波長５９０ｎｍの光強度に対する波長４８０ｎｍの光強度の比Ｘｃ／Ｘｄが、３０％以上５０％以下の範囲である実施例４〜６における白色光源は、薄明視環境での視認性の評価結果が良好であった。それに対して、比較例５における白色光源ようにＸｃ／Ｘｄが、５０％を超える場合は、薄明視環境での視認性の評価結果が不良である。また、実施例４〜６における白色光源は、平均演色評価数が８０以上であり、色度ｘ及び色度ｙの結果から、色温度が２６００Ｋ以上３２５０Ｋ以下である。
【００８７】
（実施の形態２）
実施の形態２では、白色光源を備える屋外用照明装置について説明する。図１８は、実施の形態２に係る屋外用照明装置３００の外観図である。
【００８８】
図１８に示されるように、屋外用照明装置３００は、街路４００に白色光を照射するように設置される。本明細書において、街路４００は、地面の一例である。屋外用照明装置３００は、柱状部材３２０によって街路４００の上方に支持される。屋外用照明装置３００は、例えば、生活街路で使用される。屋外用照明装置３００は、発光装置３１１を有する発光部３１０を備える。発光装置３１１としては、実施の形態１における白色光源１００又は実施の形態１の変形例における白色光源２００が用いられる。発光装置３１１として、白色光源１００又は白色光源２００が用いられることにより、屋外用照明装置３００は、夜間の街路空間等の薄明視環境において視認性を高める白色光を照射する。白色光源１００を用いた場合には、昼白色の白色光が照射され、白色光源２００を用いた場合には、電球色の白色光が照射される。
【００８９】
また、屋外用照明装置３００は、発光部３１０が、街路４００からの高さＨ１が２ｍ以上１５ｍ以下となるように設置される。屋外用照明装置３００は、一定の間隔をあけて設置される場合が多く、街路４００上に照度の低い場所が発生しやすいが、高さＨ１を上記範囲とすることで、より均一に街路４００を照らすことができる。よって、薄明視環境でも視認性を高める効果が街路４００上で均一になる。
【００９０】
発光部３１０は、街路４００に光を照射する。具体的には、発光部３１０は、街路４００のうち照射面ＬＡ（図１８における街路４００のハッチングで示される領域）に白色光を照射する。発光部３１０は、照射面ＬＡの平均水平面照度が５ｌｘ以上３０ｌｘ以下になるように設定される。ここで、平均水平面照度とは、水平な面に照射される白色光における単位面積あたりの照度である。本明細書において、平均水平面照度は、発光部３１０が街路４００に照射する照射面ＬＡの平均照度を示す。照射面ＬＡの平均水平面照度を上記範囲とすることで、薄明視環境での視認性を高めつつ、街路４００の通行者等がまぶしさを感じることを抑制できる。
【００９１】
発光部３１０から発せられる白色光の広がり角度は、平均水平面照度が上記範囲となるように街路４００が照らされればよく、特に限定されない。発光部３１０は、街路４００が効率良く照らされるように設計されればよい。
【００９２】
発光部３１０は、街路４００に光を照射できる構造であれば特に制限は無いが、例えば、電力を供給する電源ユニットと共に筐体に収容され、筐体に収容された発光部３１０が透光カバーに覆われる。また、発光部３１０は、発光装置３１１から発せられる光の配光を制御するためのレンズ部材を備えていてもよい。発光部３１０は、発光装置３１１を少なくとも１つ備えればよく、配置される発光装置３１１の数及び配置形態は限定されない。また、発光部３１０は、発光装置３１１以外の発光装置を含んでいてもよい。
【００９３】
以上のように、屋外用照明装置３００は、街路４００からの高さＨ１が２ｍ以上１５ｍ以下に配置され、発光装置３１１を有する発光部３１０を備え、照射面ＬＡにおける平均水平面照度が５ｌｘ以上３０ｌｘ以下である。これにより、発光装置３１１として、白色光源１００又は白色光源２００が用いられることで、夜間の街路空間等の薄明視環境において視認性の高い自然な白色光が均一に違和感なく照射される。よって、効果的に周辺を明るく知覚することができる照明空間を提供することができ、通行者の安全性を高めることができる。
【００９４】
（実施の形態３）
実施の形態３では、白色光源を備える非常用照明装置について説明する。図１９は、実施の形態３に係る非常用照明装置５００の外観図である。
【００９５】
図１９に示されるように、非常用照明装置５００は、構造物の天井に設置される。非常用照明装置５００が設置される場所は、構造物内を照射できる場所であれば特に限定されず、例えば、構造物の壁又は柱であってもよい。非常用照明装置５００は、災害等で停電が発生した場合にも、バッテリの電源により点灯させるようにした非常灯である。非常用照明装置５００は、例えば、図１９に示されるような天井に埋込型の照明装置であり、ベースライト、シーリングライト、ダウンライト等の照明装置であってもよい。非常用照明装置５００は、例えば、駅、病院、商業施設、マンションの共用部等で使用される。
【００９６】
非常用照明装置５００は、発光装置５１１を有する発光部５１０を備える。発光装置５１１には、実施の形態１における白色光源１００又は実施の形態１の変形例における白色光源２００が用いられる。発光装置５１１として、白色光源１００又は白色光源２００が用いられることにより、非常用照明装置５００は、停電により通常の照明が消灯している薄明視環境において、視認性を高める白色光を照射する。これにより、例えば、停電時でも扉等の位置を認識しやすくなる。白色光源１００を用いた場合には、昼白色の白色光が照射され、白色光源２００を用いた場合には、電球色の白色光が照射される。
【００９７】
また、非常用照明装置５００は、発光部５１０が、構造物の床面６００からの高さＨ２が２ｍ以上の範囲となるように設置される。高さＨ２を２ｍ以上の範囲とすることで、非常用照明装置５００が設置された場所の下方を均一に照射することができる。
【００９８】
発光部５１０は、例えば、停電時に電力を供給するバッテリと共に筐体に収容され、筐体に収容された発光部５１０が透光カバーに覆われる。また、発光部５１０は、発光装置５１１から発せられる光の配光を制御するためのレンズ部材を備えていてもよい。発光部５１０は、発光装置５１１を少なくとも１つ備えればよく、配置される発光装置５１１の数及び配置形態は限定されない。また、発光部５１０は、発光装置５１１以外の発光装置を含んでいてもよい。
【００９９】
以上のように、非常用照明装置５００は、構造物の床面６００からの高さＨ２が２ｍ以上の範囲に配置され、発光装置５１１を有する発光部５１０を備える。これにより、発光装置５１１として、白色光源１００又は白色光源２００が用いられることで、停電時等の薄明視環境において視認性の高い自然な白色光が均一に違和感なく照射される。よって、照射される空間に存在する障害物、落下物、扉又は表示物を認識しやすくなり、人が構造物から避難する場合に落ち着いて行動でき、避難者の安全性を高めることができる。
【０１００】
（その他の実施の形態）
以上、本発明に係る照明装置、屋外用照明装置及び非常用照明装置について、実施の形態に基づいて説明したが、本発明は、上記実施の形態に限定されるものではない。
【０１０１】
例えば、上記実施の形態において、白色光源１００及び白色光源２００は、それぞれ固体発光素子１１３、２１３と黄緑色蛍光体１１７ａ、２１７ａ及びＫＳＦ蛍光体１１７ｂ、２１７ｂを有する蛍光部材１１６、２１６を備えていたが、これに限るものではない。白色光源１００及び２００は、固体発光素子１１３、２１３とは異なる発光のピーク波長を有する固体発光素子、又は、蛍光部材１１６、２１６とは異なる種類の蛍光部材を、さらに備えていてもよい。
【０１０２】
また、上記実施の形態において、固体発光素子１１３、２１３は青色ＬＥＤであったが、これに限るものではない。固体発光素子１１３、２１３は、それぞれ蛍光部材１１６、２１６を励起させることができる青色発光素子であればよい。例えば、固体発光素子１１３、２１３には、青色ＬＥＤに代えて、無機エレクトロルミネッセンス、有機エレクトロルミネッセンス、又は、半導体レーザー等の固体発光素子が使用されてもよい。
【０１０３】
また、上記実施の形態において、屋外用照明装置３００は、街路４００に設置されていたが、これに限るものではない。屋外用照明装置は、夜間に人が通行する屋外空間の地面に設置されればよく、例えば、公園、駐車場、海岸、河原、林道、集合住宅の敷地内又は、工場の敷地内等の屋外空間の地面に設置されてもよい。
【０１０４】
その他、上記実施の形態に対して当業者が思いつく各種変形を施して得られる形態、又は、本発明の趣旨を逸脱しない範囲で上記の実施の形態における構成要素及び機能を任意に組み合わせることで実現される形態も本発明に含まれる。
【符号の説明】
【０１０５】
１００、２００  白色光源
１１３  固体発光素子
１１６、２１６  蛍光部材
１１７ａ、２１７ａ  黄緑色蛍光体
１１７ｂ、２１７ｂ  ＫＳＦ蛍光体
３００  屋外用照明装置
３１０、５１０  発光部
３１１、５１１  発光装置
４００  街路
５００  非常用照明装置
６００  床面
ＬＡ  照射面
【図１】
2020136121.tif 000005
【図２】
2020136121.tif 000006
【図３】
2020136121.tif 000007
【図４】
2020136121.tif 000008
【図５】
2020136121.tif 000009
【図６】
2020136121.tif 000010
【図７】
2020136121.tif 000011
【図８】
2020136121.tif 000012
【図９】
2020136121.tif 000013
【図１０】
2020136121.tif 000014
【図１１】
2020136121.tif 000015
【図１２】
2020136121.tif 000016
【図１３】
2020136121.tif 000017
【図１４】
2020136121.tif 000018
【図１５】
2020136121.tif 000019
【図１６】
2020136121.tif 000020
【図１７】
2020136121.tif 000021
【図１８】
2020136121.tif 000022
【図１９】
2020136121.tif 000023